(57)【要約】【課題】意匠性を向上させることができる空気調和装置の室内機の提供。【解決手段】空気調和装置１００の室内機１は、本体ケーシング２と、受光素子４と、室温サーミスタ５とを備えている。受光素子４は、リモートコントローラ１５０から送信される操作信号を受光する。さらに、受光素子４は、本体ケーシング２に収容される。また、室温サーミスタ５は、室内の温度を検知する。さらに、室温サーミスタ５は、本体ケーシング２に収容される。そして、本体ケーシング２は、受光素子４と室温サーミスタ５とを本体ケーシング２の外部に連通させるための共通孔６を有している。【選択図】図５
2008145062.tif 000002
【特許請求の範囲】
【請求項１】
本体ケーシング（２）と、
前記本体ケーシングに収容され、遠隔操作する遠隔操作手段（１５０）から送信される操作信号を受光する受光素子（４）と、
前記本体ケーシングに収容され、室内の温度を検知する温度検知素子（５）と、
を備え、
前記本体ケーシング（２）は、前記受光素子（４）と前記温度検知素子（５）とを前記本体ケーシング（２）の外部に連通させる共通の共通孔（６）を有する、
空気調和装置の室内機（１）。
【請求項２】
前記受光素子（４）と前記温度検知素子（５）とが隣接するように実装されたプリント基板（７）を更に備える、
請求項１に記載の空気調和装置の室内機（１）。
【請求項３】
前記本体ケーシング（２）に設けられた前記共通孔（６）は、前記プリント基板（７）の前面側に配置されており、複数のスリット（６ａ〜６ｅ）によって構成される、
請求項２に記載の空気調和装置の室内機（１）。
【請求項４】
前記プリント基板（７）は、運転状態を示すための表示素子（９）を更に実装し、
前記本体ケーシング（２）は、前記共通孔（６）の近傍に、前記表示素子（９）を前記本体ケーシング（２）の外部に連通させる表示孔（８）を更に有する、
請求項１から３のいずれかに記載の空気調和装置の室内機（１）。
【発明の詳細な説明】
【技術分野】
【０００１】
本発明は、空気調和装置の室内機に関する。
【背景技術】
【０００２】
従来、空気調和装置の室内機においては、本体ケーシング内に受光素子と温度検知素子とを備えているものが多い。受光素子は、リモートコントローラ等により送信される信号を受光する。温度検知素子は、室内の温度を検知する。例えば、特許文献１では、本体ケーシングには、受光素子の前側に赤外線透過性の化粧板が備えられており、受光素子が視認できないように構成されている。また、特許文献２では、本体ケーシングには、温度検知素子を本体ケーシングの外部に連通させるための孔が形成されており、本体ケーシングの外部の空気が温度検知素子に接触するように構成されている。
【特許文献１】特開平１１−３２５５６０号公報
【特許文献２】特開平９−１１２９４８号公報
【発明の開示】
【発明が解決しようとする課題】
【０００３】
特許文献１の空気調和装置の室内機では、化粧板は、本体ケーシングの前面に配置されている。そのため、空気調和装置の利用者の視野に入りやすい。しかし、本体ケーシングが主に白色系であるのに対し、化粧板には、赤外線透過性がある黒色系の樹脂または銘板が用いられることが多い。このため、室内機の見栄えが損なわれてしまう場合がある。
【０００４】
本発明の課題は、意匠性を向上させることができる空気調和装置の室内機を提供することにある。
【課題を解決するための手段】
【０００５】
第１発明に係る空気調和装置の室内機は、本体ケーシングと、受光素子と、温度検知素子とを備えている。受光素子は、遠隔操作する遠隔操作手段から送信される操作信号を受光する。さらに、受光素子は、本体ケーシングに収容される。また、温度検知素子は、室内の温度を検知する。さらに、温度検知素子は、本体ケーシングに収容される。そして、本体ケーシングは、受光素子と温度検知素子とを本体ケーシングの外部に連通させるための共通孔を有している。
【０００６】
第１発明に係る空気調和装置の室内機では、本体ケーシングには、受光素子と温度検知素子とを本体ケーシングの外部に連通させるための共通孔が形成されている。これによって、室内機の本体ケーシングにおいて、受光素子が必要以上に目立つことを抑え、室内機の意匠性を向上させることができるようになる。
【０００７】
なお、付随的な効果として、受光素子を隠すための化粧板を省略することが可能になり、部品点数を少なくすることができる。
【０００８】
第２発明に係る空気調和装置の室内機は、第１発明に記載の室内機であって、プリント基板を更に備えている。プリント基板は、受光素子と温度検知素子とを実装している。また、このプリント基板には、受光素子と温度検知素子とが隣接して実装されている。
【０００９】
ここでは、受光素子と温度検知素子とが隣接した状態でプリント基板に実装されている。このため、受光素子と温度検知素子との間隔が小さくなる。これによって、本体ケーシングの前面に形成されている共通孔を小さくすることができる。
【００１０】
第３発明に係る空気調和装置の室内機は、第２発明に記載の室内機であって、本体ケーシングの前面に形成されている共通孔は、受光素子と温度検知素子とが実装されているプリント基板の前面側に配置されている。また、この共通孔は、複数のスリットによって構成されている。
【００１１】
ここでは、本体ケーシングに形成されており、プリント基板の前面側に配置されている共通孔は、複数のスリットによって構成されている。これによって、受光素子と温度検知素子とを本体ケーシングの外部から視認し難くすることができる。
【００１２】
第４発明に係る空気調和装置の室内機は、第１発明、第２発明、あるいは第３発明に記載の室内機であって、受光素子と温度検知素子とが実装されているプリント基板は、運転状態を示すための表示素子を更に実装している。また、本体ケーシングには、表示素子を本体ケーシングの外部に連通させるための表示孔が、共通孔の近傍に形成されている。
【００１３】
ここでは、本体ケーシングには、表示素子を本体ケーシングの外部に連通させる表示孔が受光素子と温度検知素子とを本体ケーシングの外部に連通させる共通孔の近傍に形成されている。これによって、表示素子により示される運転状態を空気調和装置の利用者に対して視認させやすくすることができる。
【発明の効果】
【００１４】
第１発明に係る空気調和装置の室内機では、室内機における意匠性を向上させることができる。
【００１５】
第２発明に係る空気調和装置の室内機では、本体ケーシングに形成されている共通孔を小さくすることができる。
【００１６】
第３発明に係る空気調和装置の室内機では、受光素子と温度検知素子とを本体ケーシングの外部から視認し難くすることができる。
【００１７】
第４発明に係る空気調和装置の室内機では、空気調和装置の運転状態を利用者に対して視認させやすくすることができる。
【発明を実施するための最良の形態】
【００１８】
＜空気調和装置の全体構成＞
本発明の実施形態に係る空気調和装置を図１に示す。この空気調和装置１００は、室内の壁面などに取り付けられる壁掛け式の室内機１と、室外に設置される室外機３とを備えている。
【００１９】
室内機１内及び室外機３内にはそれぞれ熱交換器が収納されており、各熱交換器が冷媒配管に接続されることにより冷媒回路を構成している。
【００２０】
また、図３において示すように、リモートコントローラ１５０は空気調和装置１００に備わる各種機能を離れた場所からでも実行させることができる。これによって、室内機１は、赤外線信号による制御命令を受光し各種の運転を行うことができる。
【００２１】
＜空気調和装置の冷媒回路の概略＞
空気調和装置１００の冷媒回路の構成を図２に示す。この冷媒回路は、主として室内熱交換器１０、アキュムレータ２１、圧縮機２２、四路切換弁２３、室外熱交換器２０及び膨張弁２４で構成される。
【００２２】
室内機１に設けられている室内熱交換器１０は、接触する室内の空気との間で熱交換を行う。また、室内機１には、室内の空気を吸い込んで室内熱交換器１０に通し熱交換が行われた後の空気を室内に排出するためのクロスフローファン１１が設けられている。このクロスフローファン１１は、長細い円筒形状に構成され、中心軸が水平方向に平行になるように配置されている。クロスフローファン１１は、室内機１内に設けられている室内ファンモータ１２によって回転駆動される。室内熱交換器１０と、クロスフローファン１１と、室内ファンモータ１２とは、本体ケーシング２に収容されている。本体ケーシング２については後に詳細に説明する。
【００２３】
室外機３には、圧縮機２２と、圧縮機２２の吐出側に接続される四路切換弁２３と、圧縮機２２の吸入側に接続されるアキュムレータ２１と、四路切換弁２３に接続された室外熱交換器２０と、室外熱交換器２０に接続された膨張弁２４とが備えられている。膨張弁２４は、液閉鎖弁２６を介して液連絡配管３１に接続されており、この液連絡配管３１を介して室内熱交換器１０の一端と接続される。また、四路切換弁２３は、ガス閉鎖弁２７を介してガス連絡配管３２に接続されており、このガス連絡配管３２を介して室内熱交換器１０の他端と接続されている。また、室外機３には、室外熱交換器２０での熱交換後の空気を外部に排出するためのプロペラファン２８が設けられている。このプロペラファン２８は、室外ファンモータ２９によって回転駆動される。
【００２４】
＜室内機の構成＞
室内機１は、図１及び図４において示すように、正面視において水平方向に長い長方形の形状を有しており、本体ケーシング２内に、上述の室内熱交換器１０、クロスフローファン１１、室内ファンモータ１２のほか、プリント基板７、図示しない制御基板等を備えている。プリント基板７には、制御基板が通信可能に接続されている。さらに、プリント基板７には、受光素子４、室温サーミスタ５、ＬＥＤ９等が実装されている。受光素子４は、リモートコントローラ１５０等から送信される操作信号を受光する。室温サーミスタ５は、室内の温度を検知する。ＬＥＤ９は、空気調和装置１００の運転状態を示す。また、本体ケーシング２の前面には、受光素子４と室温サーミスタ５とを本体ケーシング２の外部に連通させるための共通孔６が形成されている。さらに、本体ケーシング２の前面には、ＬＥＤ９を本体ケーシング２の外部に連通させるための表示孔８が形成されている。
【００２５】
＜本体ケーシングの構成＞
本体ケーシング２は、上述の受光素子４、室温サーミスタ５、ＬＥＤ９等が実装されているプリント基板７等を内部に収容する。
【００２６】
本体ケーシング２には、図１と図４において示すように、空調のための室内空気取り込み口６１、室内空気吹き出し口６４、共通孔６、表示孔８等が形成されている。
【００２７】
室内空気取り込み口６１は、本体ケーシング２の上部に設けられており、室内の空気を本体ケーシング２の内部に取り込む。ここで取り込まれた室内の空気は、本体ケーシング２内部の室内熱交換器１０等によって調和される。
【００２８】
室内空気吹き出し口６４の近傍には水平フラップ６３が設けられている。水平フラップ６３は、室内機１の長手方向に長い形状を有する板状の部材であり、室内空気吹き出し口６４から吹き出される空気を案内する。水平フラップ６３は、室内機１の長手方向に平行な回転軸を有しており、回転軸を中心に回転することにより、空気の案内方向を変更する。これによって、室内機１内に取り込まれた空気が、熱交換によって調和され室内空気吹き出し口６４を通じて再び室内に戻される。
【００２９】
共通孔６は、図４と図５において示すように、本体ケーシング２の前面に形成されている。また、この共通孔６は、受光素子４と室温サーミスタ５とを本体ケーシング２の外部に連通させる。さらに、共通孔６は、受光素子４と室温サーミスタ５とが実装されているプリント基板７の前面側に形成されている。また、共通孔６は複数のスリット６ａ〜６ｅによって構成されている。
【００３０】
表示孔８は、本体ケーシング２の前面に形成されている。また、表示孔８は、ＬＥＤ９を本体ケーシング２の外部に連通させるように構成されている。さらに、表示孔８は、ＬＥＤ９が実装されているプリント基板７の前面側に配置されている。
【００３１】
＜受光素子＞
受光素子４は、図４及び図５において示すように、プリント基板７に実装されており、本体ケーシング２の前面に設けられている共通孔６から、本体ケーシング２の外部からの信号が通過するように配置されている。このため、受光素子４は、共通孔６を介してリモートコントローラ１５０からの操作信号を受光することができる。
【００３２】
また、プリント基板７は、受光素子４がリモートコントローラ１５０から受け取った操作信号に基づいて、空気調和装置１００の運転制御等を行う図示しない制御基板に接続されている。これにより、室内機１はリモートコントローラ１５０によって室内機１から離れた場所でも運転操作が行えるようになる。
【００３３】
＜室温サーミスタ＞
室温サーミスタ５は、図４及び図５で示すように、プリント基板７に受光素子４と隣接して実装されており、本体ケーシング２の前面に設けられている共通孔６から、本体ケーシング２の内側と外側との空気が行き来できるように配置されている。このため、室温サーミスタ５は、共通孔６を介して室内の空気と接触することで、室内の温度を検知することができる。
【００３４】
また、プリント基板７は、室温サーミスタ５等で検知され出力される各信号に基づいて、冷凍サイクルを制御し冷房運転・暖房運転等の運転制御等を行う図示しない制御基板に接続されている。
【００３５】
＜ＬＥＤ＞
ＬＥＤ９は、図４及び図５において示すように、プリント基板７に実装されており、表示孔８によって本体ケーシング２の外部から視認できるように配置されている。
【００３６】
ＬＥＤ９が実装されているプリント基板７は、図５に示すように、本体ケーシング２の内側に設けられている。
【００３７】
プリント基板７は、冷房運転・暖房運転等の運転制御に基づいて、ＬＥＤ９を点灯させたりすることができる図示しない制御基板に接続されている。また、制御基板は、受光素子４が受光した操作信号に基づいて、ＬＥＤ９を点灯させたりすることができる。このため、ＬＥＤ９は、運転状態を示すことができる。
【００３８】
＜特徴＞
（１）
従来の空気調和装置１００の室内機１では、受光素子４を本体ケーシング２の外部から視認し難くするために、本体ケーシング２の前面に赤外線透過性を有する化粧板が取り付けられていることが多い。また、本体ケーシング２は主に白色系で調和してあるのに対して、化粧板は黒色系のために、意匠性を損なうことも多い。
【００３９】
上記実施形態では、空気調和装置１００の室内機１の本体ケーシング２には、受光素子４と室温サーミスタ５とを本体ケーシング２の外部に連通させるための共通孔６が形成されている。これによって、室内機１の本体ケーシング２において、受光素子４が必要以上に目立つことを抑え、室内機１の意匠性を向上させることができるようになっている。したがって、空気調和装置１００の室内機１における意匠性を向上させることができている。また、従来の多くの空気調和装置１００において採用されていた、受光素子４を隠すための化粧板を省略することができており、部品点数が少なくなっている。
【００４０】
（２）
上記実施形態では、空気調和装置１００の室内機１は、受光素子４と室温サーミスタ５とが隣接して実装されているプリント基板７を更に備えている。このため、受光素子４と室温サーミスタ５との間隔が小さくなっている。これによって、本体ケーシング２の前面に形成されている共通孔６を小さくすることができている。
【００４１】
（３）
上記実施形態では、共通孔６は、受光素子４と室温サーミスタ５とが実装されているプリント基板７の前面側に配置されている。また、この共通孔６は、複数のスリット６ａ〜６ｅによって構成されている。これによって、共通孔６が１つの大きな孔によって構成されている場合等と比較して、受光素子４と室温サーミスタ５とを本体ケーシング２の外部から視認し難くすることができている。
【００４２】
（４）
上記実施形態では、受光素子４と室温サーミスタ５とが実装されているプリント基板７は、運転状態を示すためのＬＥＤ９を更に実装している。また、本体ケーシング２には、ＬＥＤ９を本体ケーシング２の外部に連通させるための表示孔８が共通孔６の近傍に形成されている。これによって、ＬＥＤ９により示される運転状態を空気調和装置１００の利用者に対して視認させやすくすることができている。
【産業上の利用可能性】
【００４３】
本発明によれば、室内機の意匠性を向上させることができるようになるため、空気調和装置の室内機への適用が有効である。
【図面の簡単な説明】
【００４４】
【図１】空気調和装置の外観図。
【図２】空気調和装置の冷媒回路図。
【図３】空気調和装置とリモートコントローラとの外観図。
【図４】室内機の受光素子と温度検知素子の近傍の縦断面図。
【図５】受光素子と温度検知素子の概略図。
【符号の説明】
【００４５】
１  室内機
２  本体ケーシング
４  受光素子
５  室温サーミスタ（温度検知素子）
６  共通孔
７  プリント基板
８  表示孔
９  ＬＥＤ（表示素子）
【図１】
2008145062.tif 000003
【図２】
2008145062.tif 000004
【図３】
2008145062.tif 000005
【図４】
2008145062.tif 000006
【図５】
2008145062.tif 000007